(57)【要約】【課題】除湿運転時、所定部における結露を抑制し、露が所定部にたれ落ちる心配のない安全な除湿機を提供する。【解決手段】室内の除湿をする除湿機能と、冷風をスポット的に出す冷風機能とを兼ね備えた除湿機において、除湿運転時の冷風による結露を抑制する結露抑制部材たる板材５１を備える。これにより、熱伝導性のよい材料を除湿機の風が通過又は接触する所定部たるフラップ２６の裏面５０に備えることによって結露を抑制させることができる。【選択図】図９
2011127891.tif 000002
【特許請求の範囲】
【請求項１】
除湿をする除湿機能と、風を出す送風機能とを兼ね備えた除湿機において、
除湿運転時の結露を抑制する抑制部材を備えたことを特徴とする除湿機。
【請求項２】
所定部に蒸発部を有する冷凍装置と、送風手段とを備え、前記蒸発部で発生したドレン水を受ける水受部を備えた除湿機において、
前記蒸発部と前記水受部との間に所定の空間を設け、且つ前記水受部より前記蒸発部に向けてリブを形成したことを特徴とする除湿機。
【発明の詳細な説明】
【技術分野】
【０００１】
本発明は、冷凍装置を備えた除湿機に関する。
【背景技術】
【０００２】
従来、圧縮機と凝縮部と蒸発部で構成する冷凍装置を備え、かつ、蒸発部を通過する風と、凝縮部を通過する風を、別々の吹出口から吹出す送風機能を備えた除湿機があった（特許文献１）。
【０００３】
また、従来の除湿機では、蒸発部に発生したドレン水を受ける水受部を備えており、この水受部の配置については、除湿効率をよくするため水受部と蒸発部とは極力隙間を無くして配置し、蒸発部を通らない除湿用空気がないように近接して設けていた。
【先行技術文献】
【特許文献】
【０００４】
【特許文献１】特開２００３−１７２５２５号公報
【発明の概要】
【発明が解決しようとする課題】
【０００５】
従来の機能を備えた除湿機では、特に湿度環境によっては、吹出口の風が出る側に、結露が発生し、それが発展し露がたれ落ち、所定部をぬらしてしまうという問題があった。
【０００６】
水受部の配置については、除湿効率をよくするため水受部と蒸発部とは極力隙間を無くして配置し、蒸発部を通らない除湿用空気がないように近接していたため、蒸発部により水受部の所定部にも露が付くという問題があった。
【０００７】
本発明は、上記問題点を解決して、除湿運転時、所定部における結露を抑制し、露が所定部にたれ落ちる心配のない安全な除湿機を提供することを目的とする。
【０００８】
さらに、湿度環境によっても水受部の所定部に結露が発生することなく、且つ除湿用空気が蒸発部を効率よく通過することを可能とする除湿機を提供することを目的とする。
【課題を解決するための手段】
【０００９】
請求項１の発明の除湿機では、除湿をする除湿機能と、風を出す送風機能とを兼ね備えた除湿機において、除湿運転時の結露を抑制する抑制部材を備えたことを特徴とする。
【００１０】
請求項２の発明の除湿機では、所定部に蒸発部を有する冷凍装置と、送風手段とを備え、前記蒸発部で発生したドレン水を受ける水受部を備えた除湿機において、前記蒸発部と前記水受部との間に所定の空間を設け、且つ前記水受部より前記蒸発部に向けてリブを形成したことを特徴とする。
【発明の効果】
【００１１】
請求項１の発明によれば、結露を抑制可能な材料を除湿機の風が通過する所定部に備えることにより結露を抑制させることができる。
【００１２】
請求項２の発明によれば、水受部の位置を蒸発部の影響を受けない位置まで離し、且つ所定部にリブを形成して空気の流れを遮断することで、水受部が蒸発部の影響を受けないため、結露が発生せずに除湿運転を継続可能にする。また水受部に蒸発部の方向にリブを追加することで、前述の効果を持たせつつ、除湿効率のよい送風経路を達成でき、さらに蒸発部からたれ落ちるドレン水の飛散を防止することができる。
【図面の簡単な説明】
【００１３】
【図１】本発明の第１実施例を示す除湿機の斜視図である。
【図２】同上、除湿機の断面図である。
【図３】同上、除湿機の内部構造を示す一部分解斜視図である。
【図４】同上、冷凍サイクル機構を模式的に表わした説明図である。
【図５】同上、電気的構成を表わしたブロック図である。
【図６】同上、除湿機の結露抑制機能における動作を示すチャート図である。
【図７】同上、本実施例の別の変形例における結露抑制機能における動作を示すチャート図である。
【図８】同上、本実施例のさらに別の変形例における結露抑制機能における動作を示すチャート図である。
【図９】本発明の第２実施例を示す除湿機の斜視図である。
【図１０】同上、除湿機の断面図である。
【図１１】同上、除湿機の内部構造を示す一部分解斜視図である。
【図１２】同上、フラップの裏面側を示す底面図である。
【図１３】本発明の第３実施例を示す除湿機の断面図である。
【図１４】同上、要部拡大断面図である。
【発明を実施するための形態】
【００１４】
以下、添付図面を参照しながら、本発明における除湿機の好ましい実施例を説明する。
【００１５】
図１乃至図８は、本発明の第１実施例を示すもので、１は、除湿器本体であり、この本体１内部には後述する冷凍装置たる冷凍サイクル機構２を備える。
【００１６】
図２に、冷凍サイクル機構２の構成を模式的に示すが、冷凍サイクル機構２は、冷媒を循環（流通）する圧縮機たるコンプレッサ３に、冷媒中の熱を放出する凝縮部たるコンデンサ４と、ドライヤ５と、膨張部たるキャピラリチューブ６と、空気中の水分を凝縮する熱交換器に相当する蒸発部たるエバポレータ７とを順次連結して構成されると共に、エバポレータ７からコンプレッサ３に至る経路と並列に、冷凍サイクル切換部としての二方弁８が設けられている。また、３９はエバポレータ７に設けられた着霜検出手段としての温度センサで、この温度センサ３９によりエバポレータ７の着霜を検出すると、前記二方弁８を開くように構成している。そして、二方弁８が閉じた状態では、コンプレッサ３→コンデンサ４→ドライヤ５→キャピラリチューブ６→エバポレータ７→コンプレッサ３の経路で冷媒が循環する冷却用経路としての冷却用循環路９が形成される。また、二方弁８が開くと、コンプレッサ３→二方弁８→エバポレータ７→コンプレッサ３に至る加熱用経路としての加熱用循環路１０が形成される。
【００１７】
図１,図３及び図４に示すように、この本体１には、その他に、本体１の背面部に設けられ外部からの空気を本体１内部に取り込む吸込部１１と、本体１上部に設けられ本体１内部の空気を外部へ吹き出す吹出部１２と、本体１内部に設けられ外部から空気を本体１内部に送り込む送風部１３とを備えている。
【００１８】
ここで、吸込部１１には、本体１内部のエバポレータ７側に空気を取り込むための第１の吸込口１４と、本体１内部のコンデンサ４側に空気を取り込むための第２の吸込口１５とを備えている。
【００１９】
また、吹出部１２には、本体１外部に冷却空気たる乾燥空気を吹き出すための第１の吹出口１６と、本体１外部に温風を吹き出すための第２の吹出口１７とを備えている。
【００２０】
そして、送風部１３には、本体１内部で第１の吸込口１４から第１の吹出口１６へと空気を送り出すための第１の送風装置１８と、本体１内部で第２の吸込口１５から第２の吹出口１７へと空気を送り出すための第２の送風装置１９とを備えている。第１及び第２の送風装置１８,１９は夫々、モータ（図示せず）により駆動するファン２０,２１から構成される。
【００２１】
図１,図３及び図４に示すように、第１の送風装置１８により第１の吸込口１４から取り込まれた室内空気が、エバポレータ７を通過した後、第１の吹出口１６から除湿された乾燥空気たる冷風として本体１外部に吹き出される冷風経路としての第１の送風路Ｆ１と、第２の送風装置１９により第２の吸込口１５から取り込まれた室内空気が、コンデンサ４を通過した後、第２の吹出口１７から温風として本体１外部に吹き出される温風経路としての第２の送風路Ｆ２とは、本体１内部に形成されたケーシング２２によって区画されている。
【００２２】
このケーシング２２は、第１の送風装置１８及び第２の送風装置１９を個別に覆うようにして、第１の送風路Ｆ１において冷風が流通する第１の空間２３と、第２の送風路Ｆ２において温風が流通する第２の空間２４とに、本体１の内部空間を区画する、連続して形成された壁体である。
【００２３】
そして、吸込部１１における各吸込口１４,１５より除湿機本体１内部に取り込まれた室内空気は、エバポレータ７側に設けられた第１の送風装置１８と、コンデンサ４側に設けられた第２の送風装置１９とを別々に通過して、吹出部１２における各吹出口１６,１７よりそれぞれ冷風又は温風として吹き出す構成としており、除湿機本体１の第１の吹出口１６から局所的に冷風を供給可能とするスポット冷風機能を備えている。
【００２４】
図１に示すように吹出部１２では、本体１上部に各吹出口１６,１７を相互に隣接した状態で設けられており、各吹出口１６,１７の開口部分には、除湿機本体１内外を連通可能に形成された格子体２５を備えている。
【００２５】
図１,図３及び図４に示すように、除湿機本体１上部には、本体１内部の空気を送出する際に吹出部１２を開放可能なフラップ２６を備えている。
【００２６】
このフラップ２６は、図１,図３及び図４に示すように吹出部１２において隣接する各吹出口１６,１７を被覆可能に形成された板状のフラップ本体２７を有しており、このフラップ本体２７の両側端に形成された回動軸２８を除湿機本体１上部の吹出部１２付近に形成された軸受部２９に回動自在に軸支されたものである。
【００２７】
図３に示すように、除湿機本体１内部では、蒸発部であるエバポレータ７の下部に水受部たるドレンパン３０が配置されている。そして、本体１下部において、ドレンパン３０の下方には本体１に対して着脱可能な貯水タンク３１が備えられている。
【００２８】
図５は、本体１の内部に組み込まれるコントローラ３２とその周辺の構成をあらわしたブロック図である。同図において、コントローラ３２は制御手段３３や送風部回転速度調節手段３４を備えたマイクロコンピュータ（以下、マイコンという）３５と、本体１に設けた表示・操作パネル３６（図示せず）に設けられる操作状態などを表示する表示手段３７、および各種ボタンからなる操作手段３８を備えて構成される。
【００２９】
図５に示すように制御手段３３は、前記エバポレータ７の温度を検出する温度センサ３９や室温センサ４０からの各温度情報と、操作手段３８からの操作信号と、コンプレッサ３を流れる負荷電流を検出する負荷電流検出手段４１からの検出情報と、内蔵するタイマ（図示せず）の時間情報と、周囲の湿度を検知する湿度センサ４２からの湿度情報とに基づいて、送風部１３の回転速度と表示手段３７の表示を制御する機能や、結露抑制制御手段４３を備えている。
【００３０】
図５に示すように結露抑制制御手段４３には、湿度センサ４２より検出された湿度ＲＨに応じて除湿器の運転時間に重み付けを行うための係数が、所定の湿度範囲ごとに応じて設定された設定値として予め記憶された記憶手段４４と、検出された湿度ＲＨに応じた係数を記憶手段４４に予め設定された設定値のテーブルの中から選択する係数選択手段４５と、係数選択手段４５により湿度ＲＨに応じて選択された係数をその湿度ＲＨにおける除湿器の運転時間に乗算処理（積算処理）して運転時間の補正を行う運転時間補正演算手段４６と、この補正運転時間Ｔ（以下、補正運転時間Ｔと呼称）をカウントする計時手段４７と、計時手段４７がカウントする補正運転時間Ｔの合計がある所定時間（例えば、１２時間）を越えたかどうかを判定する運転時間判定手段４８と、運転時間判定手段４８より補正運転時間Ｔの合計が所定時間を越えたと判定された場合に発せられる判定信号に基づいてコンプレッサ３及び各送風装置１８,１９の停止制御を行う結露抑制動作制御手段４９とを備えている。
【００３１】
また、送風部回転速度調節手段３４は、制御手段３３からの制御信号に基づいて、送風部１３の回転速度を例えば強風量と弱風量のいずれかに調節するものである。
【００３２】
次に、上記構成における作用を説明する。操作手段３８を操作して除湿運転の開始を指示すると、制御手段３３はコンプレッサ３を駆動する信号を出力すると共に、所定の回転速度で送風部１３を駆動させる信号を、送風部回転速度調節手段３４に出力する。これにより、コンプレッサ３および送風部１３を駆動して、強風量または弱風量のいずれかの除湿運転を開始する。この除湿運転時には、制御手段３３からの制御信号により二方弁８が閉じているので、コンプレッサ３により圧縮された冷媒が、二方弁８を通らず冷却用循環路９を通って循環する。すなわち、冷媒はコンプレッサ３からコンデンサ４に入り、ここで冷媒中の熱を放出した後、ドライヤ５からキャピラリチューブ６に入って膨張される。その後、エバポレータ７において冷媒は蒸発すると共に、エバポレータ７から熱を奪って、エバポレータ７の温度を低下させ、コンプレッサ３に再び戻る。
【００３３】
その際、送風部１３により本体１内に吸い込んだ室内の空気がエバポレータ７に触れて冷却除湿され、この冷却空気が第１の吹出口１６から乾燥空気として本体１外部へと吐出される。この場合、エバポレータ７に付着した水分（以下、ドレン水Ｄと呼称）は滴下してドレンパン３０に落とされ、その後貯水タンク３１に回収される。
【００３４】
一方、室温が低く、エバポレータ７に霜が付着した場合は、温度センサ３９によるエバポレータ７の検出温度が低下する。制御手段３３は、この温度センサ３９からの検出温度が所定温度である例えば０℃以下を一定時間以上継続したときに、エバポレータ７の着霜を検出し、それまでの除湿運転から除霜運転に冷凍サイクル機構２の制御を切換える。具体的には、制御手段３３により二方弁８を開き、コンプレッサ３からの冷媒をコンデンサ４に通さずに、二方弁８を介してエバポレータ７に直接送り込む。これによりエバポレータ７は、冷媒の熱を放出して温度を上昇させるように作用し、エバポレータ７に付着した霜を融かす。エバポレータ７を通過した冷媒は、再びコンプレッサ３に戻り、温度センサ３９の検出温度が上昇するまで除霜運転を継続する。
【００３５】
また、上記除湿運転時においては、負荷電流検出手段４３からの検出情報に基づいて、制御手段３３がコンプレッサ３の負荷状態を監視している。そして、コンプレッサ３の負荷が設定値に満たない場合は、送風部１３の回転速度を低速にする弱風量の運転を行なう。一方、コンプレッサ３の負荷が設定値以上になっている場合は、制御手段３３により現在の送風部１３の運転状態を判断し、強風量ならばそのままとし、弱風量ならばコンプレッサ３への負担を和らげるために、送風部１３の回転速度を高速にする強風量の運転に自動的に切換えるようにする。
【００３６】
その後、操作手段３８により除湿運転を停止する操作を行なうと、制御手段３３はコンプレッサ３および送風部１３の駆動をすぐに停止するのではなく、前記除霜運転と同様の動作を一定時間以上行なう。すなわち、二方弁８を開いて加熱用循環路１０を形成することにより、エバポレータ７の温度を上昇させ、エバポレータ７に付着した水分を蒸発させると共に、温度センサ３９によるエバポレータ７の検出温度が所定の例えば80℃以上の温度で、５分間程度維持するように、冷凍サイクル機構２を切換え制御する。そして、この状態が一定時間である５分を過ぎたら、エバポレータ７に付着した水分が十分に蒸発したものとして、コンプレッサ３および送風部１３の駆動を停止する。
【００３７】
また、送風部１３より本体１内部に吸い込まれた空気はコンデンサ４に触れて加熱され、第２の吹出口１７から温風として本体１外部へと吐出される。このように除湿機では、別々に設けられた第１の吹出口１６及び第２の吹出口１７から、夫々、冷風及び温風を吹き出し可能とする冷温風機能を有している。
【００３８】
続いて、運転中の除湿機において冷風が通過する第１の送風路Ｆ１において、第１の吹出口１６やエバポレータ７等の所定部に露等が付着し、除湿機の除湿機能が低下した場合の結露抑制制御について説明する。
【００３９】
この結露抑制制御では、湿度センサ４２が検出した湿度ＲＨ（例えば、湿度ＲＨは相対湿度である）が所定の湿度以上である場合に、係数選択手段４５は、記憶手段４４に予め記憶された所定の湿度範囲ごとに応じて設定された設定値から、検出された湿度ＲＨに応じた設定値を選択し、運転時間演算手段４６により除湿機の運転時間にその設定値を係数として乗算処理（積算処理）を行い運転時間の補正が行われる。補正運転時間Ｔは、計時手段４７によりカウントされて、補正運転時間Ｔの合計時間がある所定値を越えると判定された場合に運転時間判定手段４８より判定信号が発せられる。この判定信号に基づいて除湿機の結露抑制動作を行うべく結露抑制動作制御手段４９により、自動的にコンプレッサ３及び各送風装置１８,１９の停止制御による除湿機の停止、或いはコンプレッサ３の停止制御が行われるものである。
【００４０】
図６に基づきこの結露抑制制御の一例を説明すると、湿度ＲＨが、ＲＨ≧９０％の場合（ステップＳ１）、除湿機の運転時間に係数２を乗算して運転時間の補正を行う（ステップＳ２）。
【００４１】
また、湿度ＲＨが９０％＞ＲＨ≧８５％の場合（ステップＳ３）、除湿機の運転時間に係数１．５を乗算して運転時間の補正を行う（ステップＳ４）。
【００４２】
さらに、湿度ＲＨが８５％＞ＲＨ≧８０％の場合（ステップＳ５）、除湿機の運転時間に係数１．０を乗算して運転時間の補正を行う（ステップＳ６）。
【００４３】
また、湿度ＲＨが８０％＞ＲＨ≧７５％の場合（ステップＳ７）、除湿機の運転時間に係数０．５を乗算して運転時間の補正を行う（ステップＳ８）。
【００４４】
さらに、湿度ＲＨが７５％未満の場合（ステップＳ９）、除湿機の除湿機能が露等の影響を受けずに正常に作動していると判断され、その場合の運転時間には係数０が乗算処理された補正が行われる為、湿度ＲＨが７５％未満の除湿機の運転時間は、計時手段４７には補正運転時間Ｔとしてカウントされないものとする。
【００４５】
その後、補正運転時間Ｔは計時手段４７により適宜カウントされていき、この補正運転時間Ｔの合計が所定時間（例えば、１２時間）を越えたかどうか判断する（ステップＳ１０）。補正運転時間Ｔが前記所定時間を越える場合、自動的に冷凍サイクル機構２における冷媒の循環を停止させるためのコンプレッサ３及び、送風部１３の各送風装置１８,１９の停止制御が行われる（ステップＳ１１）。
【００４６】
このように除湿機の除湿機能が低下した場合において、自動的にコンプレッサ３及び各送風装置１８,１９の停止制御を行うことにより、第１の送風路Ｆ１中の空気の流れが停止し、第１の送風路Ｆ１における第１の吹出口１６、エバポレータ７等の低温化が解消されるため、第１の送風路Ｆ１中の第１の吹出口１６、エバポレータ７等への結露等の発生を防止することが可能である。
【００４７】
尚、図７に本実施例における変形例の動作状況をチャート図に示すが、ステップＳ１〜ステップＳ１０までは図６と共通であるため、詳細な説明は省略する。
【００４８】
以下、ステップＳ１０以降の制御動作について説明するが、補正運転時間Ｔの合計が所定時間（例えば、１２時間）を越えたかどうか判断し（ステップＳ１０）、補正運転時間Ｔが所定時間を越える場合、冷凍サイクル機構２における冷媒の循環を停止させるためにコンプレッサ３の停止制御を行う（ステップＳ１１）。
【００４９】
この場合、結露抑制動作制御手段４９は、運転時間判定手段４８より補正運転時間Ｔの合計が所定時間を越えたと判定した場合に発せられる判定信号に基づいて自動的にコンプレッサ３の停止制御を行うものとする。そのために、自動的にコンプレッサ３を停止させて、第１の送風路Ｆ１では第１の送風装置１８による常温の送風のみが行われることにより、第１の送風路Ｆ１中の空気においてエバポレータ７との熱交換による冷却が行われなくなり、第１の送風路Ｆ１における第１の吹出口１６、エバポレータ７等の低温化が解消されるため、第１の送風路Ｆ１中の第１の吹出口１６、エバポレータ７等への結露等の発生を防止することが可能である。
【００５０】
さらに、図８に示す本実施例における別の変形例の動作状況をチャート図に示すが、ステップＳ１〜ステップＳ８までは図６及び図７と共通であるため、詳細な説明は省略する。
【００５１】
以下、ステップＳ９以降の制御動作について説明するが、ここで記憶手段４４には、除湿機の除湿機能が正常に作動していると判定される湿度範囲（例えば、湿度ＲＨ＜７０％）が設定値として、予め記憶されている。
【００５２】
除湿機の運転中に検出される湿度ＲＨが、記憶手段４４に予め記憶された除湿機の除湿機能が正常に作動していると判定される前記湿度範囲（以下、正常運転湿度と呼称）である場合、正常運転湿度に応じた運転時間（以下、正常運転時間と呼称）が計時手段４７によりカウント（ステップＳ９）されて、正常運転時間が所定時間（例えば、１時間）以上継続したと判定された場合、計時手段４７により補正運転時間Ｔの合計時間のカウントがクリアされる（ステップＳ１０）。また、補正運転時間Ｔの合計が所定時間（例えば、１２時間）を越えたかどうか判断し（ステップＳ１１）、補正運転時間Ｔが所定時間を越える場合、冷凍サイクル機構２における冷媒の循環を停止させるためにコンプレッサ３及び、送風部１３の各送風装置１８,１９の停止制御による除湿機の停止、或いはコンプレッサ３の動作制御を行う（ステップＳ１２）。
【００５３】
この場合、除湿機の除湿機能が低下した後、その低下した除湿機能が回復した場合において、結露抑制制御手段４３による結露抑制制御が解除され、自動的に除湿運転の継続が行われるように、通常の除湿運転と結露抑制制御との切換判断が自動的に行われる。そのため、結露抑制制御による無用な除湿運転の寸断が回避されることにより、自動的に行われる結露抑制機能を備えたままで、除湿運転への影響を最小限に抑えることを可能とする。
【００５４】
また、各吹出口１６,１７の開口部分には、除湿機本体１内外を連通可能に形成された格子体２５を備えており、この格子体２５を各吹出口１６,１７の開口部分に設けることにより、人体や異物等が除湿機本体１内部に侵入することを防ぐことができる。
【００５５】
除湿機本体１上部に、吹出部１２に対して回動軸２８を軸として、フラップ本体２７における面の角度を可変可能に設けられたフラップ２６を備えることにより、吹出部１２の各吹出口１６,１７より除湿機本体１外部へと吹き出される冷風及び温風の吹出角度を可変可能に設けている。
【００５６】
以上のように本実施例では、本体１内に室内の湿度を検出する湿度検出部たる湿度センサ４２と、圧縮機たるコンプレッサ３と凝縮部たるコンデンサ４と蒸発部たるエバポレータ７とで構成する冷凍装置たる冷凍サイクル機構２とを備え、かつ、前記エバポレータ７を通過する冷風と、前記コンデンサ４を通過する温風とを、別々の吹出口１６,１７から吹出す、冷温風機能を備えた除湿機において、除湿機の運転開始後における除湿機の運転中に室内湿度が所定の湿度、例えば７５％以上のときに、所定時間、例えば１２時間運転していたら、前記除湿機の運転を停止、或いはコンプレッサ３の動力を停止するように自動停止させ、且つ送風のみを行うことにより、冷風経路たる第１の送風路Ｆ１や吹出口１６,１７の結露を防止することができる。
【００５７】
また、前記所補正運転時間Ｔは、室内湿度に応じた重み付け係数と、それまでの運転時間との積算時間により算出されることにより、反応性のよい運転制御を行うことを可能とし、除湿機において動作の信頼性を向上させることが可能である。
【００５８】
つぎに、本発明の除湿機の第２実施例について図９乃至図１２を参照しながら説明する。なお、前記第１実施例と対応する部分には同一符号を付してその説明を省略する。
【００５９】
本実施例の除湿機のフラップ本体２７では、フラップ２６が各吹出口１６,１７を介して本体１内部と対向し、各吹出口１６,１７からの風が接触可能な面、つまりフラップ本体２７の裏面５０の表面には、熱伝導性に優れた素材から形成された結露抑制部材たる薄板状の板材５１が設けられている。この板材５１の素材として、例えばアルミ板を採用しているが、他の熱伝導性に優れた素材としても構わないものとする。
【００６０】
また、図１２に示すように板材５１は、フラップ本体２７の裏面５０において、第１の吹出口１６と対向し、第１の吹出口１６から吹き出される冷風が接触可能な冷風接触部５２から第２の吹出口１７から吹き出される温風が接触可能な温風接触部５３までを連続して覆うように形成されている。この場合板材５１は、フラップ本体２７裏面５０の冷風接触部５２を覆うように形成された冷風側被覆部５４と、フラップ本体２７裏面５０の温風接触部５３を覆うように形成された温風側被覆部５５と、この冷風側被覆部５４と温風側被覆部５５とを繋ぐように形成された中間部５６とを備えている。
【００６１】
さらに、図９乃至図１１に示すようにフラップ本体２７において、回動軸２８と対称位置にある長手方向の一側２７Ａを、回動軸２８の軸方向と平行に吹出部１２側へ所定角度に折り曲げて形成された折り曲げ部５７を備えている。そして前記板材５１は、フラップ本体２７における折り曲げ部５７の裏面５０のほぼ全てを覆うように形成されている。また、このように板材５１は折り曲げ部５７の裏面５０のほぼ全てを覆うものに限らず、フラップ本体２７の裏面５０において、冷風接触部５２と温風接触部５３とを略均等に覆うものであれば、板材５１の形状は適宜変更可能である。さらに、このフラップ本体２７の形状についても、折り曲げ部５７の有無に限定されるものではない。
【００６２】
以上の構成についてその作用を説明すると、除湿機本体１上部に、吹出部１２に対して回動軸２８を軸として、フラップ本体２７における面の角度を可変可能に設けられたフラップ２６を備えることにより、吹出部１２の各吹出口１６,１７より除湿機本体１外部へと吹き出される冷風及び温風の吹出角度を可変可能に設けている。
【００６３】
この場合、フラップ本体２７の裏面５０において、折り曲げ部５７の角度に沿って冷風及び温風を除湿機本体１外部へと案内するフラップ２６では、各吹出口１６,１７より吹き出される冷風及び温風がフラップ本体２７の裏面５０に当たる。
【００６４】
ここでフラップ本体２７の裏面５０において、除湿機の運転中に第１の吹出口１６から吹き出される冷風が接触可能な冷風接触部５２では、この冷風により熱を奪われ低温化する。同様に、除湿機の運転中に第２の吹出口１７から吹き出される温風が接触可能な温風接触部５３では、この温風から熱を受け取り高温化する。
【００６５】
そして、フラップ本体２７の裏面５０に設けられた板材５１では、冷風接触部５２を覆うように形成された冷風側被覆部５４も冷風接触部５２同様に低温化し、また、温風接触部５３を覆うように形成された温風側被覆部５５も温風接触部５３同様に高温化する。ここで、板材５１は、熱伝導性に優れたアルミ板であるため、板材５１の中間部５６を介して、冷風側被覆部５４と温風側被覆部５５とで連続して熱交換が行われる。
【００６６】
板材５１において、冷風側被覆部５４の低温化及び温風側被覆部５５の高温化が解消され、板材５１における室温からはるかに外れた局所的な低温部分及び高温部分を解消し、板材５１の温度格差を解消させる。この場合、裏面５０で板材５１に密接するフラップ本体２７の温度格差も解消されるため、フラップ２６における冷風接触部５２の結露の発生を抑制することができる。
【００６７】
以上のように本実施例では、室内の除湿をする除湿機能と、冷風をスポット的に出す冷風機能とを兼ね備えた除湿機において、除湿運転時の冷風による結露を抑制する結露抑制部材たる板材５１を備えたことにより、熱伝導性のよい材料を除湿機の風が通過又は接触する所定部たるフラップ２６の裏面５０に備えることによって結露を抑制させることができる。
【００６８】
続いて、本発明の除湿機の第３実施例について図１３及び図１４を参照しながら説明する。なお、前記第１実施例および第２実施例と対応する部分には同一符号を付してその説明を省略する。
【００６９】
本実施例の除湿機は、ドレンパン３０を、エバポレータ７から所定距離Ｌだけ離して設けている。
【００７０】
また、ドレンパン３０の底部３０Ａよりエバポレータ７に向け突出して形成された板状のリブ５８を備えており、このリブ５８は、前記ドレンパン３０とエバポレータ７とを所定距離Ｌ離して形成された第３の空間５９を第１の吸込口１４側と第１の吹出口１６側に分断可能なまでエバポレータ７に向けて突設されたものである。ここで、エバポレータ７へ向けて形成されたリブ５８の先端は、可能な限りエバポレータ７に近接させて設けていることが好ましいが、エバポレータ７と当接していなくても構わないものとする。また、このリブ５８はドレンパン３０とは別部材からなり、このリブ５８を熱伝導性の低い材料から形成しても構わないものとする。この場合、エバポレータ７からの熱影響を受け難い構成とすることができる。
【００７１】
以上の本実施例の除湿機の作用効果について説明すると、この除湿機では、第１の吸込口１４から除湿機本体１内部に取り込まれた室内空気は、第１の送風路Ｆ１においてエバポレータ７を通過して除湿され、第１の吹出口１６より冷却された乾燥空気として吐き出される。
【００７２】
ここで、本体１内部に取り込まれた室内空気がエバポレータ７を通過して除湿される場合に、このエバポレータ７を通過する途中で、第１の送風路Ｆ１における空気中の水分がエバポレータ７の外表面に付着する。エバポレータ７に付着した水滴（以下、ドレン水Ｄと呼称）は、エバポレータ７の下部に設けられたドレンパン３０に落とされ、その後貯水タンク３１に貯蔵される。
【００７３】
この場合、ドレンパン３０をエバポレータ７から所定距離Ｌ離して設けているため、エバポレータ７の熱影響を受けない位置に配置されており、ドレンパン３０自体が冷却されず、且つドレンパン３０の外表面は周囲空気の露点温度を下回らずに、結露が発生することなく除湿運転が継続できる。そのため、ドレンパン３０の外表面の温度は、エバポレータ７の熱影響を受けない構成となっている、そのため、冷風が循環する第１の空間に配置されていても、ドレンパン３０が必要以上に冷却されることがなく、ドレンパン３０に断熱材を設けることなく、ドレンパン３０に結露を発生させずに除湿運転を可能にする。
【００７４】
また、上述のドレンパン３０の底部３０Ａよりエバポレータ７の方向に向けてリブ５８を設けたことにより、エバポレータ７とドレンパン３０の間の空間を通過しようとする空気に対して流れを阻害する効果を持たせることができるため、第１の吸込口１４から取り込まれる除湿用空気が効率よくエバポレータ７を通過することができる除湿効率のよい送風経路（第１の送風路Ｆ１）を達成され、且つエバポレータ７から滴下するドレン水Ｄが送風部１３へ吸い込まれるような流れも阻害することができ、ドレン水Ｄが送風部１３の吹出口１６,１７から飛散することを防いでいる。
【００７５】
以上のように本実施例では、所定部たる本体１内に蒸発部たるエバポレータ７を有する冷凍装置たる冷凍サイクル機構２と、送風手段たる送風部１３とを備え、エバポレータ７で発生したドレン水Ｄを受ける水受部たるドレンパン３０を備えた除湿機において、エバポレータ７とドレンパン３０との間に所定の空間たる第３の空間５９を設け、且つドレンパン３０よりエバポレータ７に向けてリブ５８を形成したことにより、ドレンパン３０の位置をエバポレータ７の熱影響を受けない位置まで離し、且つそのときに形成された第３の空間５９の一部にリブ５８を形成して空気の流れを遮断することで、ドレンパン３０の外表面の温度がエバポレータ７の熱影響を受けないため、必要以上に冷却されずに断熱材がなくても結露が発生せずに除湿運転を継続可能にする。またドレンパン３０にエバポレータ７の方向にリブ５８を追加することで、前述の効果を持たせつつ、除湿効率のよい送風経路（第１の送風路Ｆ１）を達成でき、さらにエバポレータ７からたれ落ちて滴下するドレン水Ｄの飛散を防止することができる。
【００７６】
なお、本発明は上記実施例に限定されるものではなく、本発明の要旨の範囲内において種々の変形実施が可能である。例えば、第１の送風装置と第２の送風装置において、各ファンの形状を異なるものとしても構わないものとする。また、第１実施例において、各種所定時間（例えば、１２時間,１時間）、係数たる各設定値（２．０,１．５,１．０,０．５,０等）、各湿度範囲（ＲＨ≧９０％,９０％＞ＲＨ≧８５％,８５％＞ＲＨ≧８０％,８０％＞ＲＨ≧７５％,ＲＨ＜７０％）等は適宜変更可能である。
【符号の説明】
【００７７】
１  除湿機
２  冷凍サイクル機構（冷凍装置）
７  エバポレータ（蒸発部）
１３  送風部（送風手段）
３０  ドレンパン（水受部）
５１  板材（抑制部材）
５８  リブ
５９  第３の空間（空間）
【図１】
2011127891.tif 000003
【図２】
2011127891.tif 000004
【図３】
2011127891.tif 000005
【図４】
2011127891.tif 000006
【図５】
2011127891.tif 000007
【図６】
2011127891.tif 000008
【図７】
2011127891.tif 000009
【図８】
2011127891.tif 000010
【図９】
2011127891.tif 000011
【図１０】
2011127891.tif 000012
【図１１】
2011127891.tif 000013
【図１２】
2011127891.tif 000014
【図１３】
2011127891.tif 000015
【図１４】
2011127891.tif 000016